(57)【要約】【課題】  低騒音化を図った適切な構成の冷却機構部を有するプロジェクタを提供することである。【解決手段】  光学ユニット４と、光学ユニット４を収容する筐体とを有するプロジェクタ１は、更に、プロジェクタ１の本体内部で発熱する部材を冷却する冷却ユニット７を構成する吸気吐出装置７０を有し、吸気吐出装置７０は、外装ケース２に形成されプロジェクタ１本体の内部に外気を取入れる１つの吸気口２００と、プロジェクタ１の本体内部で発熱する部材に外気を吐出する複数の冷却ファン（７１，７２，７３）と、吸気口２００から取入れた外気を冷却ファン（７１，７２，７３）に導入する複数のダクト（７４，７５，７６）とを有し、複数のダクト（７４，７５，７６）は、吸気口２００に相対する領域において吸気口２００から取入れる外気を導入する一体の導入口７００を有し、それぞれの冷却ファン（７１，７２，７３）と連結されて一体に構成される。【選択図】      図１１
2007072058.tif 000002
【特許請求の範囲】
【請求項１】
光源から射出された光束を画像情報に応じて変調して光学像を形成し、その光学像をスクリーン上に拡大投写する画像投写装置と当該画像投写装置を収容する筐体とを備えたプロジェクタであって、
前記プロジェクタは、発熱する部材を冷却する冷却機構部を有し、
前記冷却機構部は、前記筐体に形成され前記プロジェクタ本体の内部に外気を取入れる１つの吸気口と、前記プロジェクタの本体内部で発熱する部材に外気を吐出する複数の冷却ファンと、前記吸気口から取入れた外気を前記冷却ファンに導入する複数のダクトとを有し、
前記複数のダクトは、前記吸気口に相対する領域において前記吸気口から取入れる外気を導入する一体の導入口を有し、それぞれの前記冷却ファンと連結されて一体に構成されることを特徴とするプロジェクタ。
【請求項２】
請求項１に記載のプロジェクタであって、
前記導入口は、前記ダクトの数に応じて分割されることを特徴とするプロジェクタ。
【請求項３】
請求項２に記載のプロジェクタであって、
前記導入口は、前記吸気口の近傍から分割されることを特徴とするプロジェクタ。
【請求項４】
請求項２または請求項３に記載のプロジェクタであって、
前記導入口は、それぞれ所定の領域面積となるように分割されることを特徴とするプロジェクタ。
【請求項５】
請求項１〜請求項４のいずれか一項に記載のプロジェクタであって、
前記吸気口は、前記プロジェクタの本体の底面側に設置されることを特徴とするプロジェクタ。
【発明の詳細な説明】
【技術分野】
【０００１】
本発明は、プロジェクタに関する。
【背景技術】
【０００２】
プロジェクタは、光源から射出された光束を画像情報に応じて変調して光学像を形成し、その光学像をスクリーン上に拡大投写する構造となっている。このようなプロジェクタは、光源をはじめとして、プロジェクタを構成する部材が発熱するため、プロジェクタの機能を維持するためには、発熱した部材を冷却することが必要となる。そのために、プロジェクタは、一般的に、冷却ファンを有する冷却機構部を備えて、発熱した部材を冷却している。しかし、冷却する際、冷却ファンの動作（例えば回転）により騒音が発生するために、プロジェクタの低騒音化が必要となる。このような状況の中、冷却機構部の有する冷却ファンの構成による低騒音化に関して、特許文献１では、冷却ファンを遮音部材で覆うことにより、冷却ファンで発生する回転音の騒音が外部に漏れることを防止した構成のものが提案されている。
【０００３】
【特許文献１】特開２００５−１７４５８号公報
【発明の開示】
【発明が解決しようとする課題】
【０００４】
しかしながら、プロジェクタが家庭におけるホームシアター用途に使用され始めている現在においては、更にプロジェクタを低騒音化する必要があり、冷却ファンのみならず、吸気口やダクトなどを有する冷却機構部の構成を含めた低騒音化が課題となる。
【０００５】
本発明は、上記課題に鑑みてなされたものであり、低騒音化を図った適切な構成の冷却機構部を有するプロジェクタを提供することを目的とする。
【課題を解決するための手段】
【０００６】
本発明のプロジェクタは、光源から射出された光束を画像情報に応じて変調して光学像を形成し、その光学像をスクリーン上に拡大投写する画像投写装置と当該画像投写装置を収容する筐体とを備えたプロジェクタであって、プロジェクタは、発熱する部材を冷却する冷却機構部を有し、冷却機構部は、筐体に形成されプロジェクタ本体の内部に外気を取入れる１つの吸気口と、プロジェクタの本体内部で発熱する部材に外気を吐出する複数の冷却ファンと、吸気口から取入れた外気を冷却ファンに導入する複数のダクトとを有し、複数のダクトは、吸気口に相対する領域において吸気口から取入れる外気を導入する一体の導入口を有し、それぞれの冷却ファンと連結されて一体に構成されることを特徴とする。
【０００７】
このようなプロジェクタによれば、冷却機構部は、１つの吸気口と複数の冷却ファンと複数のダクトとを有して構成される。そして、複数のダクトは、１つの吸気口に相対する領域で一体の導入口を有し、冷却ファンと連結され一体に構成される。この構成により、１つの吸気口を介して一体の導入口に導入させて、導入した外気をそれぞれのダクト内部に導入させることができ、連結される冷却ファンは、発熱する部材に外気を吐出する。また、冷却機構部の構成において、吸気口を１つとすることにより、複数のダクトに連結するそれぞれの冷却ファンの回転音や回転に伴う振動音などがプロジェクタ外部に漏れる箇所を１箇所にすることができるため、吸気口を多箇所設置する場合に比べて低騒音化が可能となる。従って、低騒音化を図った適切な構成の冷却機構部を有するプロジェクタを提供できる。
【０００８】
上記プロジェクタにおいて、導入口は、ダクトの数に応じて分割されることが好ましい。
このようなプロジェクタによれば、ダクトの数に応じて分割されることにより、吸気口から吸気された外気が一体の導入口の内部で乱流とならずにダクトの数に応じてそれぞれのダクト内部に外気を確実に効率的に導入することができる。それにより、冷却ファンの回転数を下げることが可能となり、それぞれの冷却ファンの回転音や回転に伴う振動音などを低下することができるため、更に低騒音化が図れる。従って、更に低騒音化を図った適切な構成の冷却機構部を有するプロジェクタを提供できる。
【０００９】
上記プロジェクタにおいて、導入口は、吸気口の近傍から分割されることが好ましい。
このようなプロジェクタによれば、吸気口の近傍から分離されるため、導入口内部での外気の乱流は更に抑えられ、それぞれのダクト内部に効率的に外気を導入することができる。それにより、冷却ファンの回転数を下げることが可能となり、更に低騒音化が図れる。従って、更に低騒音化を図った適切な構成の冷却機構部を有するプロジェクタを提供できる。
【００１０】
上記プロジェクタにおいて、導入口は、それぞれ所定の領域面積となるように分割されることが好ましい。
【００１１】
このようなプロジェクタによれば、発熱する部材に対する冷却割合や使用する複数の冷却ファンの特性などの諸条件に基づいて設定される所定の領域面積となるように導入口を分割する。これにより、ダクト内部を流れる外気の量を適切に設定することができ、更に効率的に発熱する部材を冷却することができる。それにより、冷却ファンの回転数を下げることが可能となり、更に低騒音化が図れる。従って、更に低騒音化を図った適切な構成の冷却機構部を有するプロジェクタを提供できる。
【００１２】
上記プロジェクタにおいて、吸気口は、プロジェクタの本体の底面側に設置されることが好ましい。
【００１３】
このようなプロジェクタによれば、それぞれの冷却ファンの回転音や回転に伴う振動音などがプロジェクタ外部に漏れることを更に防止することができ、更に低騒音化が図れる。従って、更に低騒音化を図った適切な構成の冷却機構部を有するプロジェクタを提供できる。
【発明を実施するための最良の形態】
【００１４】
以下、本発明の実施形態を図面に基づいて説明する。
（実施形態）
【００１５】
図１は、本発明の実施形態に係るプロジェクタを前面側上方から見た概略斜視図である。図２は、プロジェクタを上下逆転し背面側上側から見た概略斜視図である。図３は、図２において、吸気口カバー部材および防塵部材を取外した状態での概略斜視図である。図１〜図３を用いて、プロジェクタ１の外観構成を説明する。
【００１６】
プロジェクタ１は、光源から射出された光束を画像情報に応じて変調して光学像を形成し、その光学像をスクリーン上に拡大投写する。プロジェクタ１は、図１〜図３に示すように、略直方体形状の筐体となる合成樹脂製の外装ケース２を備えて、プロジェクタ１の装置本体を収容している。また、プロジェクタ１は、外装ケース２から露出する投写光学装置としての投写レンズ３を備えている。投写レンズ３は、筒状の鏡筒内に複数種のレンズが収容された組レンズとして構成され、プロジェクタ１の装置本体により画像情報に応じて変調された光学像を拡大投写する。
【００１７】
ここで、プロジェクタ１の６面に対して、前面側１ａ、背面側１ｂ、右面側１ｃ、左面側１ｄ、上面側１ｅおよび底面側１ｆとする。外装ケース２は、装置本体の上部部分を覆うアッパーケース２１と、装置本体の下部部分を覆うロアケース２２と、装置本体の前面部分を覆うフロントケース２３とを備えている。
【００１８】
アッパーケース２１は、外装ケース２の上面側１ｅと右面側１ｃ、左面側１ｄおよび背面側１ｂの一部を構成している。上面側１ｅは、図１に示すように、平面視略矩形形状を有し、平面視略中央部分から前面側１ａ、左右面側（１ｄ，１ｃ）および背面側１ｂにかけて、なだらかに湾曲し、凸曲面形状を有している。また、アッパーケース２１の前面側１ａ方向で右側縁部は、曲線状に切欠かれて形成されている。また、上面側１ｅの略中央部分には、図１に示すように、プロジェクタ１の起動・調整操作を実施する操作パネル２４が左右方向に延びるように設置されている。操作パネル２４の操作ボタン２４１を適宜押下して操作する。
【００１９】
アッパーケース２１の上述した曲線状に切欠かれて形成されている縁部近傍には、投写レンズ３を中心として左右の位置に、投写レンズ３の左右位置および上下位置を調整する投写レンズ位置調整部３０を構成する２つのダイヤル３０１，３０２が露出して設置されている。そして、一方のダイヤル３０１を回動することにより、投写レンズ３を上下に移動させることができる。また、他方のダイヤル３０２を回動することにより、投写レンズ３を左右に移動させることができる。
【００２０】
アッパーケース２１の背面側１ｂには、図２、図３に示すように、右面側１ｃ方向に平面視略矩形形状の凹部２１１が形成され、複数の孔部２１２が形成されている。その複数の孔部２１２を介して、外部の電子機器からの画像信号、音声信号などを入力または出力するための複数の接続端子２１３が外部に露出している。凹部２１１に相対するアッパーケース２１の内部には、接続端子２１３から入出力する信号を処理する図示しないインターフェース基板が設置されている。また、背面側１ｂの左面側１ｄ方向には、リモコン受光窓２１４が設置されている。リモコン受光窓２１４に相対するアッパーケース２１の内部には、リモートコントローラからの操作信号を受信する図示しないリモコン受光モジュールが設置されている。
【００２１】
フロントケース２３は、図１に示すように、アッパーケース２１とロアケース２２が接続された状態で形成される開口に係合し、外装ケース２の前面側１ａを構成している。フロントケース２３は、左右方向に延びて湾曲形状を有して形成されている。フロントケース２３の右面側１ｃ方向には、外装ケース２の内側に窪み、窪みの中心部分に略円形状の開口部２３１が形成されている。開口部２３１は、投写レンズ３の先端部分を露出させている。フロントケース２３の中央部分には、前述したリモコン受光窓２１４と同様のリモコン受光窓２３２が形成されている。このリモコン受光窓２３２とリモコン受光窓２１４とにより、プロジェクタ１の前方および後方の双方から図示しないリモートコントローラを用いてプロジェクタ１の遠隔操作を実施できるように構成されている。また、フロントケース２３の左面側１ｄ方向には、外装ケース２の内部からプロジェクタ１の装置本体で発生する熱をプロジェクタ１の外部に排気するための排気口部２３３が、外装ケース２の内側に窪み、排気をプロジェクタ１の前面側１ａの方向で、かつ、左面側１ｄ方向に排出するように略矩形の開口を有して形成されている。この排気口部２３３には、相対するフロントケース２３の内面側に、ルーバを有する排気ダクトが案内され固定される。
【００２２】
ロアケース２２は、図２、図３に示すように、外装ケース２の底面側１ｆ、左右面側（１ｄ，１ｃ）および背面側１ｂの一部を構成している。ロアケース２２の底面側１ｆは、略矩形形状の平坦面で構成され、外装ケース２の底面を形成する。底面側１ｆの背面側１ｂ方向の略中央部分には、プロジェクタ１の足部２２１を構成する固定足部２２１ａが設置されている。また、底面側１ｆの前面側１ａ方向の左右コーナ部には、１つずつ計２箇所、固定足部２２１ａと共に足部２２１を構成し、底面側１ｆ方向に進退自在の調整足部２２１ｂ，２２１ｃが設置されている。調整足部２２１ｂ，２２１ｃは、プロジェクタ１の投写時におけるプロジェクタ１の上下方向の傾斜位置を調整可能としている。
【００２３】
また、底面側１ｆで背面側１ｂ方向の略中央部分には、外装ケース２の内部に冷却のための外気を吸気する略矩形形状の開口部１００が設置されている。図２に示すように、開口部１００は、吸気口カバー部材１０１が着脱自在に設置されている。吸気口カバー部材１０１は、格子状に形成されるスリット状の孔部１０２を複数有して形成されている。また、吸気口カバー部材１０１の内面側には、防塵部材（図示省略）が設置されている。防塵部材は、プリーツ状に加工された静電フィルタとしての働きを有する不織布が載置されている。防塵部材は、外気を吸気する際に、外部からの粉塵がプロジェクタ１の内部に吸気されるのを防止するために粉塵を吸着する働きを行う。なお、防塵部材は粉塵が内部に吸気されるのを防止できるものであれば良い。
【００２４】
図３は、吸気口カバー部材１０１および防塵部材を取外した状態の図を示しており、吸気口カバー部材１０１および防塵部材を取外した開口部１００は、所定の領域面積で区分けされ、その区分けされた領域を更に適度の領域面積に区分けされた孔部１０３を有する吸気口２００がロアケース２２に一体で形成されている。開口部１００は、この区分けされた格子状部１０４に防塵部材を載置して、その上に吸気口カバー部材１０１をセットする構造となっている。
【００２５】
開口部１００の左隣には、光源装置の交換時に使用する略矩形形状の光源カバー部材２２２が、着脱自在に設置されている。光源装置を交換する際には、この光源カバー部材２２２を取外して、外装ケース２の内部に配設される光学ユニット（後述する）に収容された光源装置を取出して交換する。
【００２６】
ロアケース２２の背面側１ｂで、アッパーケース２１に形成した凹部２１１の下部位置には、凹部２１１と同様に外装ケース２の内側に平面視略矩形形状に窪んだ凹部２２３が形成され、孔部２２４，２２５が形成されている。孔部２２４を介して、内部のインレットコネクタ２２６が露出して、外部の電力をプロジェクタ１の装置本体に供給可能としている。また、孔部２２５を介して、プッシュスイッチ２２７が露出しており、電力の開始・停止を制御している。
【００２７】
図４は、プロジェクタの内部構成を示す図である。詳細には、図１の状態からアッパーケース２１を取外した状態を示し、背面側上方から見た概略斜視図である。
図４に示すように、外装ケース２の内部には、プロジェクタ１の装置本体が収容されている。そして、内部の左右方向に延び、一方の端部が前方に延びる平面視略Ｌ字上の画像投写装置としての光学ユニット４と、光学ユニット４の上方に設置される制御基板（図示省略）と、外装ケース２の左面側１ｄの内側に沿って背面側１ｂから前面側１ａに渡って設置される電源ユニット５とを備えている。そして、光学ユニット４の背面側で外装ケース２の背面側１ｂの内側に沿って設置され、外気を吸気して光学ユニット４や電源ユニット５に吐出し、また、光学ユニット４や電源ユニット５の熱を伝熱された外気をプロジェクタ１の外部に排気する冷却ユニット７を備えている。
【００２８】
図５は、光学ユニットの光学系を模式的に示す図である。図５を用いて、光学ユニット４の構造を説明する。
光学ユニット４は、光源装置から射出された光束を画像情報に応じて変調して光学像を形成し、投写レンズ３を介してスクリーン上に投写画像を形成するものである。この光学ユニット４は、図５に示すように、インテグレータ照明光学系４１と、色分離光学系４２と、リレー光学系４３と、光変調装置および色合成光学装置を一体化した光学装置４４と、これら光学部品４１，４２，４３，４４を収容して固定する光学部品用筐体４５とに機能的に大別される。
【００２９】
インテグレータ照明光学系４１は、光源から射出された光束を照明光軸に直交する面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成される。
【００３０】
光源装置４１１は、放射光源としての光源ランプ４１１Ａ、リフレクタ４１１Ｂ、およびリフレクタ４１１Ｂの光束射出面を覆う防爆ガラス４１１Ｃを備える。そして、光源ランプ４１１Ａから射出された放射状の光束は、リフレクタ４１１Ｂで反射されて略平行光束とされ、外部へと射出される。本実施形態では、光源ランプ４１１Ａとして、高圧水銀ランプを採用し、リフレクタ４１１Ｂとして、放物面鏡を採用している。なお、光源ランプ４１１Ａとしては、高圧水銀ランプに限らず、例えばメタルハライドランプやハロゲンランプ等を採用してもよい。また、リフレクタ４１１Ｂとして放物面鏡を採用しているが、これに限らず、楕円面鏡からなるリフレクタの射出面に平行化凹レンズを配置した構成を採用してもよい。
【００３１】
第１レンズアレイ４１２は、照明光軸方向から見て略矩形形状の輪郭を有する小レンズがマトリクス状に配列された構成を有している。各小レンズは、光源ランプ４１１Ａから射出された光束を部分光束に分割し、照明光軸方向に射出する。
第２レンズアレイ４１３は、第１レンズアレイ４１２と略同様の構成であり、小レンズがマトリクス状に配列された構成を有する。この第２レンズアレイ４１３は、重畳レンズ４１５とともに、第１レンズアレイ４１２の各小レンズの像を光学装置４４の後述する液晶パネル上に結像させる機能を有する。
【００３２】
偏光変換素子４１４は、第２レンズアレイ４１３からの光を略１種類の偏光光に変換するものであり、これにより、光学装置４４での光の利用効率が高められている。詳細には、偏光変換素子４１４によって略１種類の偏光光に変換された各部分光束は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源ランプ４１１Ａからの光束の略半分が利用されない。このため、偏光変換素子４１４を用いることにより、光源ランプ４１１Ａから射出された光束を略１種類の偏光光に変換し、光学装置４４における光の利用効率を高めている。
【００３３】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１，４２２により赤（Ｒ）、緑（Ｇ）、青（Ｂ）の３色の色光に分離される。
【００３４】
リレー光学系４３は、入射側レンズ４３１と、一対のリレーレンズ４３３と、反射ミラー４３２，４３５とを備えている。このリレー光学系４３は、色分離光学系４２で分離された色光である青色光を光学装置４４の後述する青色光用の液晶パネルまで導く機能を有している。
【００３５】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４１９を通って、赤色光用の液晶パネルに到達する。このフィールドレンズ４１９は、第２レンズアレイ４１３から射出された各部分光束をその中心軸（主光線）に対して平行な光束に変換する。青色光および緑色光用の液晶パネルの光入射側に設けられたフィールドレンズ４１９も同様である。
【００３６】
また、ダイクロイックミラー４２１を透過した青色光と緑色光のうち、緑色光は、ダイクロイックミラー４２２によって反射し、フィールドレンズ４１９を通って、緑色光用の液晶パネルに到達する。一方、青色光は、ダイクロイックミラー４２２を透過してリレー光学系４３を通り、さらにフィールドレンズ４１９を通って、青色光用の液晶パネルに到達する。なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの青色光を通す構成としたが、これに限らず、例えば、赤色光を通す構成としてもよい。
【００３７】
光学装置４４は、入射された光束を画像情報に応じて変調してカラー画像を形成する。この光学装置４４は、色分離光学系４２で分離された各色光が入射される３つの入射偏光板４４２（赤色光用を赤色光入射偏光板４４２Ｒ、緑色光用を緑色光入射偏光板４４２Ｇ、青色光用を青色光入射偏光板４４２Ｂとする）を備える。また、各入射偏光板４４２の後段に設置される光変調装置としての３つの液晶パネル４４１（赤色光用を赤色光液晶パネル４４１Ｒ、緑色光用を緑色光液晶パネル４４１Ｇ、青色光用を青色光液晶パネル４４１Ｂとする）を備える。また、各液晶パネル４４１の後段に設置される３つの射出偏光板４４４（赤色光用を赤色光射出偏光板４４４Ｒ、緑色光用を緑色光射出偏光板４４４Ｇ、青色光用を青色光射出偏光板４４４Ｂとする）と１つのクロスダイクロイックプリズム４４５とを備える。
【００３８】
液晶パネル４４１（４４１Ｒ，４４１Ｇ，４４１Ｂ）は、例えば、ポリシリコンＴＦＴ（Thin Film Transistor）をスイッチング素子として用いたものであり、対向配置される一対の透明基板内に液晶が密封封入されている。そして、この液晶パネル４４１は、入射偏光板４４２を介して入射する光束を画像情報に応じて変調して射出する。
【００３９】
入射偏光板４４２は、色分離光学系４２で分離された各色光のうち、一定方向の偏光光のみ透過させ、その他の光束を吸収するものであり、サファイアガラス等の基板に偏光膜が貼付されたものである。また、射出偏光板４４４も、入射偏光板４４２と略同様に構成され、液晶パネル４４１から射出された光束のうち、所定方向の偏光光のみ透過させ、その他の光束を吸収するものであり、透過させる偏光光の偏光軸は、入射偏光板４４２における透過させる偏光光の偏光軸に対して直交するように設定されている。
【００４０】
クロスダイクロイックプリズム４４５は、射出偏光板４４４から射出され、色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。クロスダイクロイックプリズム４４５によって合成された色光は、投写レンズ３の方向に射出される。そして、クロスダイクロイックプリズム４４５から射出された映像光は、投写レンズ３により拡大され、スクリーンに投写される。
なお、上述した液晶パネル４４１（４４１Ｒ，４４１Ｇ，４４１Ｂ）、射出偏光板４４４（４４４Ｒ，４４４Ｇ，４４４Ｂ）およびクロスダイクロイックプリズム４４５は、一体となるようにユニット化されている。
【００４１】
図６は、光学部品用筐体の構造を示す斜視図であり、光学部品用筐体を背面側上方から見た斜視図である。図７は、図６と同様に、光学部品用筐体の構造を示す斜視図であり、光学部品用筐体を上下逆転し底面側上方から見た斜視図である。図６、図７を用いて光学部品用筐体４５の構造を説明する。
【００４２】
光学部品用筐体４５は、射出成形等による合成樹脂製品であり、前述の光学部品４１，４２，４３，４４が収容される部品収容部材４６と、部品収容部材４６の上面の開口部分を塞ぐ蓋状の蓋状部材４７とを備える。部品収容部材４６は、光源装置４１１が収容される光源収容部４８と、光源装置４１１を除く他の光学部品４１，４２，４３，４４が収容される容器状に形成された部品収容部４９とを備えている。
【００４３】
図６に示すように、光源収容部４８は、略箱型形状であり、部品収容部４９側との端面には光源装置４１１から射出された光束を透過させるための開口が形成されている。また、光源収容部４８の底面側（図示下側）には、光源装置４１１を光源収容部４８の底面側から差し込むようにして収容するための開口部４８Ｃ（図７に図示）も形成さている。また、図６に示すように、光源収容部４８の背面側および前面側の側面には、光源収容部４８の内部に外気を流動させ外部に流出させるために、流入用開口部４８Ａと流出用開口部４８Ｂとがそれぞれ略矩形形状を有して対向形成されている。
【００４４】
部品収容部４９は、上面側が開口した略直方体形状であり、その一端は光源収容部４８に接続されている。また、部品収容部４９には、具体的な図示は省略するが、光学部品４１２〜４１５，４１９，４２１〜４２３，４３１〜４３３および４３５を上方からスライド式に嵌め込むための複数の溝部が形成されている。この部品収容部４９の他端には、投写レンズ３が、ねじ止め固定されるヘッド部６０が取り付けられている。ヘッド部６０は、光学部品用筐体４５内に設定される照明光軸に対する所定位置に投写レンズ３を設置するためのものである。また、ヘッド部６０には、投写レンズ位置調整部３０も設置される。また、部品収容部４９のヘッド部６０に隣接する部分には、光学装置４４が設置される。
【００４５】
図７に示すように、部品収容部４９の底面には、光学装置４４の液晶パネル４４１、入射偏光板４４２および射出偏光板４４４に対応する位置に、内部に外気を流動させる流入用開口部４９Ａが略Ｔ字形状に形成されている。また、部品収容部４９の底面には、偏光変換素子４１４に対応する位置に、同様に内部に外気を流動させる流入用開口部４９Ｂが略矩形形状に形成されている。これらの流入用開口部４９Ａ，４９Ｂを介して、後述する冷却ユニット７により、上述した対応する各光学素子（４４１，４４２，４４４，４１４）を外気が流動して冷却する。
【００４６】
図６、図７に示すように、蓋状部材４７は、流入用開口部４９Ａに流入させ液晶パネル４４１、入射偏光板４４２および射出偏光板４４４を冷却した空気を外部に流出させる流出用開口部４７Ａが形成される。また、同様に、蓋状部材４７は、偏光変換素子４１４の上方に、流入用開口部４９Ｂに流入させ偏光変換素子４１４を冷却した空気を外部に流出させる流出用開口部４７Ｂが形成される。そして、蓋状部材４７は、上述した流出用開口部４７Ａおよび流出用開口部４７Ｂを除く部品収容部材４６の部品収容部４９における上側開口部分を略閉塞する。
【００４７】
次に、具体的な図示を省略した制御基板の構成および動作に関して簡単に説明する。
制御基板は、光学ユニット４の上方に配置されるメイン基板と、メイン基板と光源収容部４８との間に設置されるサブ基板とを有して構成される。
【００４８】
メイン基板は、ＣＰＵ（Central Processing Unit）等の演算処理装置が実装された回路基板として構成され、プロジェクタ１全体を制御する。このメイン基板は、前述のインターフェース基板から出力される信号に基づいて各液晶パネル４４１Ｒ，４４１Ｇ，４４１Ｂを駆動制御する。そして、各液晶パネル４４１Ｒ，４４１Ｇ，４４１Ｂは、光変調を実施して光学像を形成する。また、メイン基板は、前述の操作パネル２４の回路基板、および前述の図示しないリモコン受光モジュールから出力される操作信号を入力し、この操作信号に基づいてプロジェクタ１の構成部材に適宜、制御指令を出力する。
【００４９】
サブ基板は、後述する冷却ユニット７を構成する複数の冷却ファンを駆動するためのファン駆動回路が実装された基板であり、メイン基板と電気的に接続され、該メイン基板から出力される制御信号を入力することで、前記冷却ファンを駆動させる。なお、メイン基板とサブ基板を一体化した構成としても良い。
【００５０】
次に、電源ユニット５の構成および動作に関して簡単に説明する。
電源ユニット５は、光源装置４１１および制御基板等に電力を供給するものであり、図４に示すように、外装ケース２を構成するロアケース２２の左面側１ｄの内側に沿って背面側１ｂから前面側１ａに渡って配置されている。電源ユニット５は、図４に示すように、電源回路を備えた電源ブロック５０と、電源ブロック５０とロアケース２２の間に配置されるランプ駆動ブロック５１とを備えている。
【００５１】
電源ブロック５０は、インレットコネクタ２２６に接続された電源ケーブルを通して外部から供給された電力を光源装置４１１を駆動するランプ駆動ブロック５１および制御基板等に供給する。電源ブロック５０は、入力される交流を低電圧の直流に変換するトランスや該トランスからの出力を所定の電圧に変換する変換回路等が片面に実装された回路基板と、この回路基板を覆う筒状部材５０１とを備える。このうち、筒状部材５０１は、アルミニウムから構成され、両端が開口された略箱状に形成されている。
【００５２】
ランプ駆動ブロック５１は、前述した光源装置４１１に安定した電圧で電力を供給するための変換回路等が片面に実装された回路基板を備え、電源ブロック５０から入力した商用交流電流は、このランプ駆動ブロック５１によって整流、変換されて、直流電流や交流矩形波電流となって光源装置４１１に供給される。また、ランプ駆動ブロック５１は、電源ブロック５０の筒状部材５０１と同様に、回路基板を覆う筒状部材５１１を備えている。
【００５３】
図８は、冷却ユニットをロアケースに設置した状態を示し、背面側上方から見た斜視図である。図９は、図８と同様に、冷却ユニットをロアケースに設置した状態を示し、前面側上方から見た斜視図である。図１０は、冷却ユニットを前面側上方から見た斜視図である。図１１は、冷却ユニットを上下逆転して前面側上方から見た斜視図である。図８〜図１１を用いて、冷却ユニット７の構成および動作を説明する。
【００５４】
図８、図９に示すように、冷却ユニット７は、ロアケース２２の底面側１ｆに形成された吸気口２００（図３）を介して外気を吸気して光学ユニット４（図４）および電源ユニット５（図４）に吐出する吸気吐出装置７０と、光学ユニット４および電源ユニット５の熱が伝熱された外気をプロジェクタ１の外部に排気する排気装置８０とを有して構成される。
【００５５】
吸気吐出装置７０は、第１冷却ファン７１と第２冷却ファン７２と第３冷却ファン７３との３つの冷却ファンを有する。また、吸気口２００（図３）から吸気した外気を各冷却ファン７１，７２，７３にそれぞれ流動する第１吸気ダクト７４と第２吸気ダクト７５と第３吸気ダクト７６との３つの吸気ダクトを有する。また、各冷却ファン７１，７２，７３から吐出された外気を流動する第１吐出ダクト７７と第２吐出ダクト７８と第３吐出ダクト７９との３つの吐出ダクトを有して構成される。なお、各冷却ファン７１，７２，７３として、本実施形態では、シロッコファンを使用している。シロッコファンは、回転軸方向から吸気した外気を回転による遠心力方向に吐出する構造となっている。
【００５６】
排気装置８０は、光学ユニット４や電源ユニット５の熱が伝熱されて暖まった外気を吸気して吐出する排気ファン８１と、排気ファン８１から吐出される空気を流動する排気ダクト８２と、排気ダクト８２を流動する空気をプロジェクタ１の外部に所定の方向で排気させるための排気ルーバ８３とを有して構成される。なお、排気ファン８１として、本実施形態では、軸流ファンを使用している。軸流ファンは、回転軸方向から吸気した空気を同方向に吐出する構造となっている。上述した冷却ユニット７（吸気吐出装置７０、排気装置８０）および吸気口２００などにより冷却機構部が構成される。
【００５７】
図１０、図１１を用いて、冷却ユニット７の吸気吐出装置７０に関して構成および動作を詳細に説明する。なお、図１１を主に用いて説明する。
【００５８】
図１１に示すように、吸気吐出装置７０は、ロアケース２２に形成された吸気口２００（図１１に二点鎖線で示す）に相対する平面位置および平面形状で、吸気口２００が形成されるロアケース２２の底面２２８（図８）に当接して導入口７００（図１１に斜線で示す）が形成されている。導入口７００は、吸気口２００から吸気した外気を第１吸気ダクト７４と第２吸気ダクト７５と第３吸気ダクト７６とに導入して流動させる口の部分であり、３つの吸気ダクト７４，７５，７６が隣接して一体に構成されている。
【００５９】
また、導入口７００は、冷却する光学部品の発熱量に応じて必要となる風量を３つの吸気ダクト７４，７５，７６を介して確保するために、使用する３つの各冷却ファン７１，７２，７３の特性などを加味して求められる所定の領域面積を確保して３分割されている。詳細には、導入口７００は、第１吸気ダクト７４に対応する領域面積７００Ａと、第２吸気ダクト７５に対応する領域面積７００Ｂと、第３吸気ダクト７６に対応する領域面積７００Ｃとの３つの領域面積に分割される。これにより、導入口７００は、吸気口２００の近傍から、吸気ダクト（７４，７５，７６）の数（３つ）に応じて、それぞれ所定の領域面積（領域面積７００Ａ，７００Ｂ，７００Ｃ）で分割されることになる。
【００６０】
導入口７００で分割され、領域面積７００Ａを有する第１吸気ダクト７４は、第１吸気ダクト７４に形成される開口部７４Ａに第１冷却ファン７１を収容する。第１冷却ファン７１を収容することで、第１冷却ファン７１の回転軸近傍に吸気口（図示省略）が確保される。また、第１吸気ダクト７４は、第１冷却ファン７１の吐出口７１Ａから吐出される外気を流動する第１吐出ダクト７７に連接される。
【００６１】
第１吐出ダクト７７は、第１冷却ファン７１の吐出口７１Ａの近傍から４つのダクトに分岐されている。詳細には、第１吐出ダクト７７は、Ｒ用吐出ダクト７７１とＧ用吐出ダクト７７２とＢ用吐出ダクト７７３と偏光変換素子用吐出ダクト７７４との４つのダクトに分岐される。そして、Ｒ用吐出ダクト７７１とＧ用吐出ダクト７７２とＢ用吐出ダクト７７３とは、部品収容部材４６（図７）の底面側に形成される流入用開口部４９Ａ（図７）の近傍に配設される。そして、第１冷却ファン７１の吐出口７１Ａから吐出される外気を略垂直方向に曲げて、流入用開口部４９Ａに対して吐出するよう構成される。
【００６２】
なお、Ｒ用吐出ダクト７７１は、Ｒ用吐出ダクト７７１の吐出口７７１Ａから外気を吐出し、図７に示すように、流入用開口部４９Ａに相対して部品収容部４９の内部に収容される光学装置４４としての赤色光液晶パネル４４１Ｒと赤色光入射偏光板４４２Ｒと赤色光射出偏光板４４４Ｒとに対して下から上方向に外気を流動する構成となっている。
【００６３】
同様に、Ｇ用吐出ダクト７７２は、Ｇ用吐出ダクト７７２の吐出口７７２Ａから外気を吐出し、図７に示すように、流入用開口部４９Ａに相対して部品収容部４９の内部に収容される光学装置４４としての緑色光液晶パネル４４１Ｇと緑色光入射偏光板４４２Ｇと緑色光射出偏光板４４４Ｇとに対して下から上方向に外気を流動する構成となっている。
【００６４】
同様に、Ｂ用吐出ダクト７７３は、Ｂ用吐出ダクト７７３の吐出口７７３Ａから外気を吐出し、図７に示すように、流入用開口部４９Ａに相対して部品収容部４９の内部に収容される光学装置４４としての青色光液晶パネル４４１Ｂと青色光入射偏光板４４２Ｂと青色光射出偏光板４４４Ｂとに対して下から上方向に外気を流動する構成となっている。
【００６５】
偏光変換素子用吐出ダクト７７４は、部品収容部材４６（図７）の底面側に形成される流入用開口部４９Ｂ（図７）に偏光変換素子用吐出ダクト７７４の吐出口７７４Ａが当接して配設される。そして、第１冷却ファン７１の吐出口７１Ａから吐出される外気を略垂直方向に曲げて、流入用開口部４９Ｂに対して吐出するよう構成される。そして、偏光変換素子用吐出ダクト７７４は、吐出口７７４Ａから外気を吐出し、図７に示すように、流入用開口部４９Ｂに相対して部品収容部４９の内部に収容される光学装置４４としての偏光変換素子４１４に対して下から上方向に外気を流動する構成となっている。
【００６６】
なお、第１吐出ダクト７７は、底面方向が開放されて形成されている。この開放された部分は、ロアケース２２に収容する際、ロアケース２２の底面２２８（図８、図９）において、開放された部分の形状に対応させて形成されたリブ状の受部２２９（図８、図９）に当接することにより閉塞され、ダクトとして機能する。
【００６７】
導入口７００で分割され、領域面積７００Ｂを有する第２吸気ダクト７５は、第２吸気ダクト７５に形成される開口部７５Ａに第２冷却ファン７２を収容する。第２冷却ファン７２を収容することで、第２冷却ファン７２の回転軸近傍の吸気口（図示省略）が確保される。また、第２吸気ダクト７５は、第２冷却ファン７２の吐出口７２Ａから吐出される外気を流動する第２吐出ダクト７８に連接される。第２吐出ダクト７８は、第２冷却ファン７２の吐出口７２Ａから吐出される外気の吐出方向と同一方向に外気を流動させる。また、第２吐出ダクト７８は、第２吐出ダクト７８の吐出口７８Ａにおいて、部品収容部材４６（図６）の光源収容部４８（図６）の側面に形成される流入用開口部４８Ａ（図６）に当接して光源収容部４８内に外気を流動させる構成となっている。なお、第２吸気ダクト７５の導入口７００の領域部分以外の部分は、底面方向が開放されて形成されている。この開放された部分は、上述したリブ状の受部２２９（図８、図９）と同様に形成されるリブ状の受部（図示省略）に当接することにより閉塞され、ダクトとして機能する。
【００６８】
導入口７００で分割され、領域面積７００Ｃを有する第３吸気ダクト７６は、第３吸気ダクト７６に形成される開口部７６Ａに第３冷却ファン７３を収容する。第３冷却ファン７３を収容することで、第３冷却ファン７３の回転軸近傍の吸気口（図示省略）が確保される。また、第３吸気ダクト７６は、第３冷却ファン７３の吐出口７３Ａから吐出される外気を流動する第３吐出ダクト７９に連接される。
【００６９】
第３吐出ダクト７９は、第３冷却ファン７３の吐出口７３Ａの近傍から２つのダクトに分岐されている。詳細には、第３吐出ダクト７９は、電源用吐出ダクト７９１とランプ駆動用吐出ダクト７９２との２つのダクトに分岐される。そして、電源用吐出ダクト７９１は、電源ユニット５（図４）を構成する電源ブロック５０（図４）の開口部５０２（図４）に対向して配設され、吐出口７９１Ａから吐出される外気により、電源ブロック５０の内部に外気を流動させる構成となっている。また、ランプ駆動用吐出ダクト７９２は、電源ユニット５（図４）を構成するランプ駆動ブロック５１（図４）の開口部５１２（図４）に対向して配設され、吐出口７９２Ａから吐出される外気により、電源ブロック５０の内部に外気を流動させる構成となっている。
【００７０】
なお、第３吐出ダクト７９は、底面方向が開放されて形成されている。この開放された部分は、ロアケース２２に収容する際、ロアケース２２の底面２２８（図８、図９）において開放された部分の形状に対応させて形成されたリブ状の受部２２９（図８、図９）に当接することにより閉塞され、ダクトとして機能する。
【００７１】
本実施形態の冷却機構部としての冷却ユニット７を構成する吸気吐出装置７０において、複数のダクト（第１吸気ダクト７４、第２吸気ダクト７５および第３吸気ダクト７６）は、一体となる導入口７００を有して、それぞれの冷却ファン（第１冷却ファン７１、第２冷却ファン７２および第３冷却ファン７３）と連結されて一体に構成される。また、第１吐出ダクト７７、第２吐出ダクト７８および第３吐出ダクト７９も第１吸気ダクト７４、第２吸気ダクト７５および第３吸気ダクト７６にそれぞれ連接して一体に構成される。
【００７２】
図１１に示す矢印Ａ、矢印Ｂ、矢印Ｃは、外気が吸気吐出装置７０の内部を流動する経路を模式的に示したものである。図１１を用いて、外気の吸気吐出装置７０の内部での流動の仕方を説明する。
【００７３】
矢印Ａは、第１冷却ファン７１が駆動（回転）することにより、領域面積７００Ａを占める導入口７００から第１吸気ダクト７４の内部に外気が導入される。導入された外気は、第１吸気ダクト７４の内部を流通し、第１冷却ファン７１に吸気され、吸気された外気が第１冷却ファン７１の吐出口７１Ａから吐出される。吐出された外気は、第１吐出ダクト７７の内部を流動する。更に第１吐出ダクト７７は４つに分岐されており、１つは、Ｒ用吐出ダクト７７１の内部を流通し、吐出口７７１Ａから外気が吐出される。また、１つは、Ｇ用吐出ダクト７７２の内部を流通し、吐出口７７２Ａから外気が吐出される。また、１つは、Ｂ用吐出ダクト７７３の内部を流通し、吐出口７７３Ａから外気が吐出される。また、１つは、偏光変換素子用吐出ダクト７７４の内部を流通し、吐出口７７４Ａから外気が吐出される。
【００７４】
矢印Ｂは、第２冷却ファン７２が駆動（回転）することにより、領域面積７００Ｂを占める導入口７００から第２吸気ダクト７５の内部に外気が導入される。導入された外気は、第２吸気ダクト７５の内部を流通し、第２冷却ファン７２に吸気され、吸気された外気が第２冷却ファン７２の吐出口７２Ａから吐出される。吐出された外気は、第２吐出ダクト７８の内部を流通し、吐出口７８Ａから吐出される。
【００７５】
矢印Ｃは、第３冷却ファン７３が駆動（回転）することにより、領域面積７００Ｃを占める導入口７００から第３吸気ダクト７６の内部に外気が導入される。導入された外気は、第３吸気ダクト７６の内部を流通し、第３冷却ファン７３に吸気され、吸気された外気が第３冷却ファン７３の吐出口７３Ａから吐出される。吐出された外気は、第３吐出ダクト７９の内部を流動する。更に第３吐出ダクト７９は２つに分岐されており、１つは、電源用吐出ダクト７９１の内部を流通し、吐出口７９１Ａから外気が吐出される。また、１つは、ランプ駆動用吐出ダクト７９２の内部を流通し、吐出口７９２Ａから外気が吐出される。
【００７６】
次に、冷却ユニット７によるプロジェクタ１の装置内部で発熱する光学装置４４、光源装置４１１、偏光変換素子４１４および電源ユニット５に対する冷却動作を図１１を用いて、また、図４も適宜用いて説明する。
【００７７】
外気は、上述した矢印Ａ，Ｂ，Ｃのように吸気吐出装置７０の内部を流動する。
吸気吐出装置７０を構成する第１吸気ダクト７４、第１冷却ファン７１および第１吐出ダクト７７は、光学装置４４および偏光変換素子４１４を冷却するためのものである。そして、第１吐出ダクト７７のＲ用吐出ダクト７７１は、図７に示すように、部品収容部材４６の流入用開口部４９Ａに相対して部品収容部４９の内部に収容される光学装置４４としての赤色光液晶パネル４４１Ｒと赤色光入射偏光板４４２Ｒと赤色光射出偏光板４４４Ｒとに対して下から上方向に外気を流動する。そして、赤色光液晶パネル４４１Ｒと赤色光入射偏光板４４２Ｒと赤色光射出偏光板４４４Ｒとで発生した熱は、この流動する外気に伝熱される。伝熱されて暖まった外気は、赤色光液晶パネル４４１Ｒと赤色光入射偏光板４４２Ｒと赤色光射出偏光板４４４Ｒとの上方に位置する流出用開口部４７Ａ（図４、図６）を介して光学ユニット４の上方に流出する（図４に矢印Ａ１で示す）。その流出した暖まった外気は、排気装置８０の排気ファン８１に吸気され、排気ダクト８２の内部を流動し、排気ルーバ８３により所定の方向で、プロジェクタ１の外部に排気される（図４の矢印Ｄで示す）。このような流動サイクルにより、発熱する赤色光液晶パネル４４１Ｒ、赤色光入射偏光板４４２Ｒおよび赤色光射出偏光板４４４Ｒは、冷却される。
【００７８】
同様に、第１吐出ダクト７７のＧ用吐出ダクト７７２は、図７に示すように、部品収容部材４６の流入用開口部４９Ａに相対して部品収容部４９の内部に収容される光学装置４４としての緑色光液晶パネル４４１Ｇと緑色光入射偏光板４４２Ｇと緑色光射出偏光板４４４Ｇとに対して下から上方向に外気を流動する。そして、緑色光液晶パネル４４１Ｇと緑色光入射偏光板４４２Ｇと緑色光射出偏光板４４４Ｇとで発生した熱は、この流動する外気に伝熱される。伝熱されて暖まった外気は、緑色光液晶パネル４４１Ｇと緑色光入射偏光板４４２Ｇと緑色光射出偏光板４４４Ｇとの上方に位置する流出用開口部４７Ａ（図４、図６）を介して光学ユニット４の上方に流出する（図４に矢印Ａ２で示す）。その流出した暖まった外気は、同様に、排気装置８０によりプロジェクタ１の外部に排気される（図４の矢印Ｄで示す）。このような流動サイクルにより、発熱する緑色光液晶パネル４４１Ｇ、緑色光入射偏光板４４２Ｇおよび緑色光射出偏光板４４４Ｇは、冷却される。
【００７９】
同様に、第１吐出ダクト７７のＢ用吐出ダクト７７３は、図７に示すように、部品収容部材４６の流入用開口部４９Ａに相対して部品収容部４９の内部に収容される光学装置４４としての青色光液晶パネル４４１Ｂと青色光入射偏光板４４２Ｂと青色光射出偏光板４４４Ｂとに対して下から上方向に外気を流動する。そして、青色光液晶パネル４４１Ｂと青色光入射偏光板４４２Ｂと青色光射出偏光板４４４Ｂとで発生した熱は、この流動する外気に伝熱される。伝熱されて暖まった外気は、青色光液晶パネル４４１Ｂと青色光入射偏光板４４２Ｂと青色光射出偏光板４４４Ｂとの上方に位置する流出用開口部４７Ａ（図４、図６）を介して光学ユニット４の上方に流出する（図４の矢印Ａ３で示す）。その流出した暖まった外気は、同様に、排気装置８０によりプロジェクタ１の外部に排気される（図４の矢印Ｄで示す）。このような流動サイクルにより、発熱する青色光液晶パネル４４１Ｂ、青色光入射偏光板４４２Ｂおよび青色光射出偏光板４４４Ｂは、冷却される。
【００８０】
第１吐出ダクト７７の偏光変換素子用吐出ダクト７７４は、図７に示すように、部品収容部材４６の流入用開口部４９Ｂに相対して部品収容部４９の内部に収容される偏光変換素子４１４に対して下から上方向に外気を流動する。そして、偏光変換素子４１４で発生した熱は、この流動する外気に伝熱される。伝熱されて暖まった外気は、偏光変換素子４１４の上方に位置する流出用開口部４７Ｂ（図４、図６）を介して光学ユニット４の上方に流出する（図４の矢印Ａ４で示す）。その流出した暖まった外気は、同様に、排気装置８０によりプロジェクタ１の外部に排気される（図４の矢印Ｄで示す）。このような流動サイクルにより、発熱する偏光変換素子４１４は、冷却される。
【００８１】
吸気吐出装置７０を構成する第２吸気ダクト７５、第２冷却ファン７２および第２吐出ダクト７８は、光源装置４１１を冷却するためのものである。詳細には、第２吐出ダクト７８は、図６に示すように、部品収容部材４６の光源収容部４８の側面に形成される流入用開口部４８Ａに当接して光源収容部４８の内部に収容される光源装置４１１に対して側面方向に外気を流動する。光源装置４１１で発生した熱は、この流動する外気に伝熱される。伝熱されて暖まった外気は、流入用開口部４８Ａの対面に形成された流出用開口部４８Ｂ（図６）を介して光学ユニット４の側方に流出する（図４の矢印Ｂ１で示す）。その流出した暖まった外気は、排気装置８０によりプロジェクタ１の外部に排気される（図４の矢印Ｄで示す）。このような流動サイクルにより、発熱する光源装置４１１は、冷却される。
【００８２】
吸気吐出装置７０を構成する第３吸気ダクト７６、第３冷却ファン７３および第３吐出ダクト７９は、電源ユニット５を冷却するためのものである。詳細には、第３吐出ダクト７９の分岐する電源用吐出ダクト７９１は、電源ユニット５（図４）を構成する電源ブロック５０を冷却し、分岐するランプ駆動用吐出ダクト７９２は、電源ユニット５（図４）を構成するランプ駆動ブロック５１を冷却する。
【００８３】
冷却動作に関して、電源用吐出ダクト７９１は、電源ブロック５０（図４）の開口部５０２（図４）に対向して配設され、電源ブロック５０の内部に外気を流動させる。電源ブロック５０で発生した熱は、この外気に伝熱される。伝熱されて暖まった外気は、電源ブロック５０の排気装置８０近傍の側面に形成された開口部（図示省略）を介して電源ブロック５０の側方に流出する（図４の矢印Ｃ１で示す）。その流出した暖まった外気は、排気装置８０によりプロジェクタ１の外部に排気される（図４の矢印Ｄで示す）。このような流動サイクルにより、発熱する電源ブロック５０は、冷却される。
【００８４】
また、ランプ駆動用吐出ダクト７９２は、ランプ駆動ブロック５１（図４）の開口部５１２（図４）に対向して配設され、ランプ駆動ブロック５１の内部に外気を流動させる。ランプ駆動ブロック５１で発生した熱は、この流動する外気に伝熱される。伝熱されて暖まった外気は、開口部５１２（図４）の対面部分から排気装置８０とを結ぶように電源ブロック５０の側面を貫通して設ける開口部（図示省略）を介して電源ブロックの側方に流出する（図４の矢印Ｃ２で示す）。その流出した暖まった外気は、排気装置８０によりプロジェクタ１の外部に排気される（図４の矢印Ｄで示す）。このような流動サイクルにより、発熱するランプ駆動ブロック５１は、冷却される。
【００８５】
上述した流動サイクルにより、光学装置４４、光源装置４１１、偏光変換素子４１４および電源ユニット５は冷却される。
【００８６】
上述した、実施形態によれば以下の効果が得られる。
（１）本実施形態のプロジェクタ１によれば、冷却機構部は、１つの吸気口２００と複数の冷却ファン（第１冷却ファン７１、第２冷却ファン７２、第３冷却ファン７３）と複数のダクト（第１吸気ダクト７４、第２吸気ダクト７５、第３吸気ダクト７６）とを有して構成される。そして、複数のダクト（第１吸気ダクト７４、第２吸気ダクト７５、第３吸気ダクト７６）は、１つの吸気口２００に相対する領域で一体の導入口７００を有し、各冷却ファン（７１，７２，７３）と連結され一体に構成される。この構成により、１つの吸気口２００を介して一体の導入口７００に外気を導入させて、導入した外気を各吸気ダクト（７４，７５，７６）内部に導入させることができ、連結される各冷却ファン（７１，７２，７３）は、発熱する部材に外気を吐出する。詳細には、第１冷却ファン７１は、光学装置４４（液晶パネル４４１、入射偏光板４４２および射出偏光板４４４）と偏光変換素子４１４とに外気を吐出する。また、第２冷却ファン７２は、光源装置４１１に外気を吐出する。また、第３冷却ファン７３は、電源ユニット５（電源ブロック５０およびランプ駆動ブロック５１）に外気を吐出する。また、冷却機構部の構成において、吸気口２００を１つとすることにより、複数のダクト（第１吸気ダクト７４、第２吸気ダクト７５、第３吸気ダクト７６）に連結する各冷却ファン（第１冷却ファン７１、第２冷却ファン７２、第３冷却ファン７３）の回転音や回転に伴う振動音などがプロジェクタ１の外部に漏れる箇所を１箇所にすることができるため、吸気口２００を多箇所設置する場合に比べて低騒音化が可能となる。従って、低騒音化を図った適切な構成の冷却機構部を有するプロジェクタ１を提供できる。また、全てのファンに外気を導入できるので、装置を大型化する事無く冷却効率の向上を図ることができる。また、吸気口が一つであるため、吸気口に備えられる防塵部材も一つで済み、メンテナンスも楽になるという効果がある。
【００８７】
（２）本実施形態のプロジェクタ１によれば、導入口７００は、第１吸気ダクト７４と第２吸気ダクト７５と第３吸気ダクト７６との３つの吸気ダクトに応じて分割される。これにより、吸気口２００から吸気された外気が一体の導入口７００の内部で乱流とならずに各吸気ダクト（７４，７５，７６）の内部に外気を確実に効率的に導入することができる。それにより、各冷却ファン（第１冷却ファン７１、第２冷却ファン７２、第３冷却ファン７３）の回転数を下げることが可能となり、各冷却ファン（７１，７２，７３）の回転音や回転に伴う振動音などを低下することができるため、更に低騒音化が図れる。従って、更に低騒音化を図った適切な構成の冷却機構部を有するプロジェクタ１を提供できる。
【００８８】
（３）本実施形態のプロジェクタ１によれば、導入口７００は、吸気口２００の近傍から分割される。これにより、導入口７００内部での外気の乱流は更に抑えられ、各吸気ダクト（第１吸気ダクト７４、第２吸気ダクト７５、第３吸気ダクト７６）の内部に効率的に外気を導入することができる。それにより、各冷却ファン（第１冷却ファン７１、第２冷却ファン７２、第３冷却ファン７３）の回転数を下げることが可能となり、更に低騒音化が図れる。従って、更に低騒音化を図った適切な構成の冷却機構部を有するプロジェクタ１を提供できる。
【００８９】
（４）本実施形態のプロジェクタ１によれば、導入口７００は、それぞれ所定の領域面積（第１吸気ダクト７４に対しては領域面積７００Ａ、第２吸気ダクト７５に対しては領域面積７００Ｂ、第３吸気ダクト７６に対しては領域面積７００Ｃ）となるように分割される。これにより、各吸気ダクト（７４，７５，７６）の内部を流れる外気の量を適切に設定することができ、更に効率的に発熱する部材を冷却することができる。それにより、各冷却ファン（７１，７２，７３）の回転数を下げることが可能となり、更に低騒音化が図れる。従って、更に低騒音化を図った適切な構成の冷却機構部を有するプロジェクタ１を提供できる。
【００９０】
（５）本実施形態のプロジェクタ１によれば、吸気口２００は、プロジェクタ１の本体の底面側１ｆに設置される。これにより、各冷却ファン（７１，７２，７３）の回転音や回転に伴う振動音などがプロジェクタ１の外部に漏れることを更に防止することができ、更に低騒音化が図れる。従って、更に低騒音化を図った適切な構成の冷却機構部を有するプロジェクタ１を提供できる。
【００９１】
（６）本実施形態のプロジェクタ１によれば、冷却ユニット７を構成する吸気吐出装置７０において、第１吐出ダクト７７の底面方向や、第２吸気ダクト７５の導入口７００の領域部分以外の底面方向や、第３吐出ダクト７９の底面方向は、開放されており、ロアケース２２の底面２２８に形成されたリブ状の受部２２９に当接することにより閉塞されてダクトとして機能させている。これにより、プロジェクタ１の外形における厚さを薄くすることができ、プロジェクタ１の小型化に寄与する効果がある。
【００９２】
なお、本発明は、上述した実施形態に限定されず、種々の変更や改良などを加えることが可能である。変形例を以下に述べる。
（変形例１）前記実施形態でのプロジェクタ１の冷却ユニット７を構成する吸気吐出装置７０において、第１吐出ダクト７７は、光学装置４４および偏光変換素子４１４に外気を吐出し、第２吐出ダクト７８は、光源装置４１１に外気を吐出し、第３吐出ダクト７９は、電源ユニット５に外気を吐出する構成となっている。しかし、これに限らず、前記発熱する部材の発熱量や冷却ファンの仕様などを考慮して、吐出ダクトの数や、冷却ファンの数や、吐出ダクトの受持つ発熱する部材など適宜変更して構成することで良い。
【００９３】
（変形例２）前記実施形態でのプロジェクタ１は、冷却ユニット７を構成する吸気吐出装置７０において、第１吐出ダクト７７の底面方向や、第２吸気ダクト７５の導入口７００の領域部分以外の底面方向や、第３吐出ダクト７９の底面方向は、開放されており、ロアケース２２の底面２２８に形成されたリブ状の受部２２９に当接することにより閉塞されてダクトとして機能させている。しかし、これに限らず、プロジェクタ１の厚さに余裕がある場合には、それぞれの開放された部分を別部材で覆い閉塞させることでダクトを構成しても良い。こうすることにより、更に低騒音化を図れる構成の冷却機構部を実現できる。
【００９４】
（変形例３）前記実施形態でのプロジェクタ１は、光源ランプ４１１Ａとして、高圧水銀ランプを採用している。しかし、これに限らず、ＬＥＤ（Light Emitting Diode）を光源ランプとして採用することでも良い。
【００９５】
（変形例４）前記実施形態でのプロジェクタ１は、液晶パネル４４１を３枚使用する３板式のプロジェクタ１である。しかし、これに限らず、液晶パネルを１枚使用する単板式のプロジェクタ１であっても良い。
【００９６】
（変形例５）前記実施形態でのプロジェクタ１は、透過型液晶方式のプロジェクタ１を採用している。しかし、これに限らず、ＤＬＰ（登録商標）（Digital Light Processing）方式および反射型液晶方式であるＬＣＯＳ（Liquid Crystal On Silicon）方式などを採用したプロジェクタであっても良い。
【図面の簡単な説明】
【００９７】
【図１】本発明の実施形態に係るプロジェクタを前面側上方から見た概略斜視図である。
【図２】プロジェクタを上下逆転し背面側上側から見た概略斜視図である。
【図３】図２において、吸気口カバー部材および防塵部材を取外した状態での概略斜視図である。
【図４】プロジェクタの内部構成を示す図である。
【図５】光学ユニットの光学系を模式的に示す図である。
【図６】光学部品用筐体の構造を示す斜視図であり、光学部品用筐体を背面側上方から見た斜視図である。
【図７】図６と同様に、光学部品用筐体の構造を示す斜視図であり、光学部品用筐体を上下逆転し底面側上方から見た斜視図である。
【図８】冷却ユニットをロアケースに設置した状態を示し、背面側上方から見た斜視図である。
【図９】図８と同様に、冷却ユニットをロアケースに設置した状態を示し、前面側上方から見た斜視図である。
【図１０】冷却ユニットを前面側上方から見た斜視図である。
【図１１】冷却ユニットを上下逆転して前面側上方から見た斜視図である。
【符号の説明】
【００９８】
１…プロジェクタ、２…外装ケース、３…投写レンズ、４…光学ユニット、５…電源ユニット、７…冷却ユニット、２１…アッパーケース、２２…ロアケース、２３…フロントケース、４１…インテグレータ照明光学系、４２…色分離光学系、４３…リレー光学系、４４…光学装置、４５…光学部品用筐体、４６…部品収容部材、４７…蓋状部材、４７Ａ，４７Ｂ…流出用開口部、４８…光源収容部、４８Ａ…流入用開口部、４８Ｂ…流出用開口部、４８Ｃ…開口部、４９…部品収容部、４９Ａ…流入用開口部、４９Ｂ…流入用開口部、５０…電源ブロック、５１…ランプ駆動ブロック、７０…吸気吐出装置、７１…第１冷却ファン、７１Ａ…吐出口、７２…第２冷却ファン、７２Ａ…吐出口、７３…第３冷却ファン、７３Ａ…吐出口、７４…第１吸気ダクト、７４Ａ…開口部、７５…第２吸気ダクト、７５Ａ…開口部、７６…第３吸気ダクト、７６Ａ…開口部、７７…第１吐出ダクト、７８…第２吐出ダクト、７８Ａ…吐出口、７９…第３吐出ダクト、８０…排気装置、８１…排気ファン、８２…排気ダクト、８３…排気ルーバ、１００…開口部、１０１…吸気口カバー部材、１０２，１０３…孔部、１０４…格子状部、２００…吸気口、２２８…底面、２２９…受部、２３３…排気口部、４１１…光源装置、４１１Ａ…光源ランプ、４１４…偏光変換素子、４４１…液晶パネル、４４１Ｂ…青色光液晶パネル、４４１Ｇ…緑色光液晶パネル、４４１Ｒ…赤色光液晶パネル、４４２…入射偏光板、４４２Ｂ…青色光入射偏光板、４４２Ｇ…緑色光入射偏光板、４４２Ｒ…赤色光入射偏光板、４４４…射出偏光板、４４４Ｂ…青色光射出偏光板、４４４Ｇ…緑色光射出偏光板、４４４Ｒ…赤色光射出偏光板、５０２…開口部、５１２…開口部、７００…導入口、７００Ａ，７００Ｂ，７００Ｃ…領域面積、７７１…Ｒ用吐出ダクト、７７１Ａ…吐出口、７７２…Ｇ用吐出ダクト、７７２Ａ…吐出口、７７３…Ｂ用吐出ダクト、７７３Ａ…吐出口、７７４…偏光変換素子用吐出ダクト、７７４Ａ…吐出口、７９１…電源用吐出ダクト、７９１Ａ…吐出口、７９２…ランプ駆動用吐出ダクト、７９２Ａ…吐出口。
【図１】
2007072058.tif 000003
【図２】
2007072058.tif 000004
【図３】
2007072058.tif 000005
【図４】
2007072058.tif 000006
【図５】
2007072058.tif 000007
【図６】
2007072058.tif 000008
【図７】
2007072058.tif 000009
【図８】
2007072058.tif 000010
【図９】
2007072058.tif 000011
【図１０】
2007072058.tif 000012
【図１１】
2007072058.tif 000013